(57)【要約】      （修正有）【課題】良好な吸湿速乾の特性を有する吸汗靴下を提供する。【解決手段】撚りのかかったマルチフィラメントの撚りをほぐしてモノフイラメントの平行状の束のマルチフィラメント２とし、この平行状の束としたマルチフィラメント２を芯糸３にカバーリングしたカバーリングヤーン４を裏糸とし、表糸とともに編組して、靴下の少なくとも足の裏面を編成する。【選択図】図２
0003195308.tif 000002
【実用新案登録請求の範囲】
【請求項１】
撚りのかかったマルチフィラメントの撚りをほぐしてモノフイラメントの平行状の束のマルチフィラメントとし、この平行状の束としたマルチフィラメントを芯糸にカバーリングしたカバーリングヤーンを裏糸とし、表糸とともに編組して、靴下の少なくとも足の裏面を編成したことを特徴とする吸汗靴下。
【請求項２】
表糸に綿、麻、レーヨン、これらを混紡した混紡糸の吸湿性を有する繊維を使用したことを特徴とする請求項１に記載の吸汗靴下。
【請求項３】
撚りのかかったマルチフィラメントの撚りをほぐしてモノフイラメントの平行状の束としたマルチフィラメントを表糸にカバーリングしてカバーリングヤーンを形成して編成したことを特徴とする請求項１または２に記載の吸汗靴下。
【請求項４】
撚りのかからないようにしてモノフイラメントの平行状の束のマルチフィラメントとし、この平行状の束としたマルチフィラメントを芯糸にカバーリングしたカバーリングヤーンで肌着の編物を編成したことを特徴とする請求項１ないし３のいずれかに記載の吸汗靴下。
【請求項５】
土踏まず部をモノフイラメントの平行状の束としたマルチフィラメントでカバーリングしてカバーリングヤーンを裏糸として表糸ととも編組したことを特徴とする請求項１ないし４のいずれかに記載の吸汗靴下。
【考案の詳細な説明】
【技術分野】
【０００１】
本考案は、繊維分野に関し、特に吸汗性の良好な吸汗靴下関するものである。
【背景技術】
【０００２】
近年、異型断面のポリエステル繊維糸で編組した吸湿性を有する靴下やシャツが提案され、市販されている。しかし、これらは、従来の合成繊維糸のものと比べて吸湿性を有するものの、吸汗性が低くて需要者の要望に応えられるものでない。
【０００３】
そのため、本出願人は、いろいろ試作した結果、天然繊維の綿を弾性糸の芯糸にカバーリングしたところ、良好な吸湿速乾の特性が得られることを見出した。
【先行技術文献】
【特許文献】
【０００４】
【特許文献１】実用新案登録第３１７０４１号公報
【考案の開示】
【考案が解決しようとする課題】
【０００５】
このように吸湿性を有する綿の天然繊維糸をカバーリングしたカバーリングヤーンが吸湿速乾の特性を有し、さらにこれを裏糸として足の肌に直接的に触れて汗等の水分を吸収でき、かつ表面積が広くできて乾燥も速くできることが分かった。
【０００６】
そこで、本考案者らは、カバーリングヤーンについてさらに研究したところ、合成繊維のマルチフィラメントのカバーリングヤーンに吸湿性があることを見出し、さらなる吸湿性を求めた結果、本考案に至った。
【課題を解決するための手段】
【０００７】
本考案は、上記のような点に鑑みたもので、上記の課題を解決するために、撚りのかかったマルチフィラメントの撚りをほぐしてモノフイラメントの平行状の束のマルチフィラメントとし、この平行状の束としたマルチフィラメントを芯糸にカバーリングしたカバーリングヤーンを裏糸とし、表糸とともに編組して、靴下の少なくとも足の裏面を編成したことを特徴とする吸汗靴下を提供するにある。
【０００８】
また、表糸に綿、麻、レーヨン、これらを混紡した混紡糸の吸湿性を有する繊維を使用したことを特徴とする吸汗靴下を提供するにある。
【０００９】
さらに、撚りのかかったマルチフィラメントの撚りをほぐしてモノフイラメントの平行状の束としたマルチフィラメントを表糸にカバーリングしてカバーリングヤーンを形成して編成したことを特徴とする吸汗靴下を提供するにある。
【００１０】
またさらに、  撚りのかからないようにしてモノフイラメントの平行状の束のマルチフィラメントとし、この平行状の束としたマルチフィラメントを芯糸にカバーリングしたカバーリングヤーンで肌着の編物を編成したことを特徴とする吸汗靴下を提供するにある。
【００１１】
さらにまた、土踏まず部をモノフイラメントの平行状の束としたマルチフィラメントでカバーリングしてカバーリングヤーンを裏糸として表糸ととも編組したことを特徴とする吸汗靴下を提供するにある。
【考案の効果】
【００１２】
本考案にあっては、実用新案登録請求の範囲の請求項１のように、撚りのかかったマルチフィラメントの撚りをほぐしてモノフイラメントの平行状の束のマルチフィラメントとし、この平行状の束としたマルチフィラメントを芯糸にカバーリングしたカバーリングヤーンを裏糸とし、表糸とともに編組して、靴下の少なくとも足の裏面を編成したことによって、マルチフィラメントの各モノフィラメントの繊維糸の間に毛細管現象を発生できて、靴下を装着した足の肌からの汗をマルチフィラメントのモノフィラメントの間に吸い込めるようにでき、ベトベト感やムレ感のない、さらっとした吸汗性の良い靴下を得ることができる。そのため、足を皮膚の汗を吸い上げられて雑菌が繁殖しにくい環境にでき、加工薬剤を使用しなくても、抗菌除臭効果が得られる。
【００１３】
また、請求項２のように、表糸に綿、麻、レーヨン、これらを混紡した混紡糸の吸湿性を有する繊維を使用したことによって、裏糸で吸汗した水分を吸湿性のいい表糸へ移動することができて、吸汗速乾性を高めることができる。
【００１４】
さらに、請求項３のように、撚りのかかったマルチフィラメントの撚りをほぐしてモノフイラメントの平行状の束としたマルチフィラメントを表糸にカバーリングしてカバーリングヤーンを形成して編成したことによって、上記した裏糸に吸水した汗を表糸側にも移動し、吸汗速乾性の靴下とすることができる。
【００１５】
またさらに、請求項４のように、撚りのかからないようにしてモノフイラメントの平行状の束のマルチフィラメントとし、この平行状の束としたマルチフィラメントを芯糸にカバーリングしたカバーリングヤーンで肌着の編物を編成したことによって、上記のように吸汗性の良い肌着を得ることができる。
【００１６】
さらにまた、請求項５のように、土踏まず部をモノフイラメントの平行状の束としたマルチフィラメントでカバーリングしてカバーリングヤーンを裏糸として表糸ととも編組したことによって、靴下を装着した足の土踏まず部からの汗をマルチフィラメントのモノフィラメントの間に吸い込めるようにでき、ベトベト感やムレ感のない、さらっとした吸汗性の良い靴下を得ることができる。そして、足を皮膚の汗を吸い上げられて雑菌が繁殖しにくい環境にでき、加工薬剤を使用しなくても、抗菌除臭効果が得られる。
【図面の簡単な説明】
【００１７】
【図１】本考案の一実施例の靴下の側面図、
【図２】同上のマルチフィラメントを芯糸にカバーリングする概略説明図、
【図３】同上の撚りのかかったマルチフィラメントの撚りほぐしの概略説明図、
【図４】同上のマルチフィラメントの撚りのかかった拡大写真（ａ）と撚りをほぐした拡大写真（ｂ）、
【図５】同上のマルチフィラメントの撚りをほぐした束状のモノフィラメントの拡大写真（ａ）、
【図６】同上の裏糸を表糸とともに編組した編組織の拡大図、
【図７】同上の裏糸を表糸とともに編組した他の編組織の拡大図、
【図８】同上の表糸にもカバーリングしたさらに他の編組織の拡大図。
【考案を実施するための形態】
【００１８】
本考案の吸汗靴下は、撚りのかかったマルチフィラメントの撚りをほぐしてモノフイラメントの平行状の束のマルチフィラメントとし、この平行状の束としたマルチフィラメントを芯糸にカバーリングしたカバーリングヤーンを裏糸とし、表糸とともに編組して、靴下の少なくとも足の裏面を編成したことを特徴としている。
【００１９】
吸汗靴下１は、図１のように短い靴下や長い靴下に適用するもので、撚りのかかったマルチフィラメントの撚りをほぐしてモノフイラメントの平行状の束のマルチフィラメント２とし、平行状の束としたマルチフィラメント２を図２のように弾性糸等の芯糸３にカバーリングして、このカバーリングヤーン４を裏糸５とし、表糸６とともに編組して形成するようにしている。
【００２０】
上記マルチフィラメント２は、図３のようにタスラン加工のように水やエアーの流体ジェット加工を利用し、製造工程での撚りのかかった合成繊維糸のマルチフィラメント２を流体ジェットによる撚りほぐし具７のボックスのノズル８に送給し、１００〜２００℃の所定温度に加熱した水、エアーを所要の高圧力で噴射するとともに所定力で引き出していって、マルチフィラメント２の撚りをほぐし、嵩高性を増すとともに、撚りをほぐした各モノフィラメントの繊維糸を平行状の束として、各モノフィラメント間に毛細管現象による吸水効果が生じるようにしている。
【００２１】
図４（ａ）は撚りほぐし前のマルチフィラメントの撚りのかかった拡大写真、図４（ｂ）は上記のようにして撚りをほぐした拡大写真で、マルチフィラメントの撚りをほぐすと、図５のようにモノフィラメントは直線状の平行状の束となって、モノフィラメントの繊維糸の間に毛細管現象を発生できる。
【００２２】
このように形成した平行状としたマルチフィラメント２は、図２のようにカバーリング装置（図外）に供給し、芯糸３のまわりに適宜の間隔で巻回していってカバーリングし、いわゆるＦＴＹのカバーリングヤーン４を形成し、カバーリングヤーン４によって吸汗性を発揮できるようにしている。必要により、ダブルカバーリングとすることもできる。
【００２３】
上記マルチ３ィラメント２としては、２４〜７２束、好ましくは２４〜４８束のマルチフィラメントの５０〜１５０デニール、好ましくは７０〜１００デニールのポリエステル、ポリプロピレン、ナイロンを含む合成繊維フィラメントが利用するのが好ましく、芯糸３としてはモノフィラメントの２０〜１００デニールのポリウレタン糸を含む合成繊維の弾性糸等を利用するのが好ましいが、綿、麻等の天然繊維糸を利用することもできる。マルチフィラメント数が多い程、毛細管現象が高くて吸汗性を良くできるが、実用的には２４〜７２束位のマルチフィラメントが好ましい。
【００２４】
たとえば、図６のように上記のようにして形成したカバーリングヤーン４を裏糸５とし、表糸６とともに丸編機等に給糸し、平編み、メッシュ編み、ゴム編みなどの所要の編組織として靴下を編成することができる。なお、所要の繊維糸を選別して同様に編成することができ、公知や周知の模様編みやカラフルな色模様の靴下とすることもできる。
【００２５】
また、図７のように表糸６と裏糸５にゴム糸９や所要の補助糸を併用し、平編み、メッシュ編み、ゴム編みなどの編組織として編物を編成することもできる。これらは、特に適正な締め付け用に、靴下の土踏まず部や履口部、足首部に利用するのが好ましい。
【００２６】
また、表糸６も上記したようにカバーリングして、図８のように裏糸５とともに編組して靴下を編成することができる。表糸６にカバーリングすると、上記のように裏糸５で吸汗した水分を表糸６へ移動することができて、吸汗速乾性を高めることができる。
【００２７】
このように撚りのかかったマルチフィラメント２を流体ジェットでの撚りほぐし具７に送給してマルチフィラメント２の撚りをほぐし、嵩高性を増すとともに、撚りをほぐした各モノフィラメントの繊維糸を平行状の束として、各モノフィラメント間に毛細管現象による吸水効果が生じるようにでき、ベトベト感やムレ感のない、さらっとした吸汗性の良い靴下を得ることができる。
【００２８】
特に、モノフイラメントの平行状の束としたマルチフィラメント２を芯糸３にカバーリングしたカバーリングヤーン４を裏糸５とし、表糸６とともに編成すると、カバーリングした裏糸５が足の肌に直接的に触れてマルチフィラメント２のモノフィラメントの繊維糸の間に毛細管現象で汗を吸収できて、吸汗性の良い靴下を得ることができる。特に、発汗しやすい土踏まず部、足の裏面部がベトベト感やムレ感がなく、足がさらっとして気持ちよく着用できる。
【００２９】
芯糸３としては、綿、麻の天然繊維糸も使用でき、上記したようにモノフィラメントの２０〜１００デニールのポリウレタン糸を含む合成繊維の弾性糸等を利用するのが好ましい。
また、表糸６としては、モノフイラメントやマルチフィラメントの合成樹脂糸を利用でき、綿、麻、レーヨン、これらを混紡した混紡糸の吸湿性を有する繊維も使用でき、特に天然繊維糸の綿、麻の吸湿、速乾性のある１０〜４０番手（２０／２〜８０／２）のものが好ましく、またこれらのコンパクトヤーンを利用するのが好ましい。天然繊維糸は、綿１００〜０％と麻０〜１００％の混紡のものとすることもできる。
【００３０】
さらに、上記では、水やエアーの流体ジェット加工を利用したもので、製造工程での撚りのかかった合成繊維糸のマルチフィラメント２を撚りをほぐしたが、当初の製造工程から撚りがかからずに製造したマルチフィラメント２を使用するなど、本考案の趣旨にもとづいて適宜に変形態様を利用できる。
【実施例】
【００３１】
図１〜図６は、本考案の実施例を示すものである。吸汗靴下１は図１、図２のように靴下をＦＴＹのカバーリングヤーン４で編成した一実施例で、３０束、７５デニールのポリエステル糸のマルチフィラメント２を図３のように液体ジェット加工で撚りをほぐし、図５のように撚りをほぐしてモノフイラメントの平行状の束としたマルチフィラメント２を３０デニールのモノフィラメントのポリウレタン糸の弾性糸の芯糸３にカバーリングしたカバーリングヤーン４を裏糸５とし、７５デニールのマルチフィラメントのポリウレタン糸の表糸６とともに所要の丸編機に給糸して、爪先から足首まで平編みの編組織として編成した。
表１は、上記靴下の足の甲、足の裏の着用前後での脱水分率を、表１に記載したＣ３６０の綿１００％のカバーリング糸と３０／７０ＦＴＹのレギュラーカバーリング糸との比較例と比較したものである。
【００３２】
その結果、表１のとおり、本実施例は、足の甲側では肌水分率がほとんどないが、足の裏側では脱水分率が高く、本実施例の吸水性は有効と言える。
【００３３】
表１  靴下の足の甲、足の裏の着用前後での脱水分率の比較表
【表１】
0003195308.tif 000003
【００３４】
表２  靴下の足の甲、足の裏の着用前後での脱水分率の比較表
【表２】
0003195308.tif 000004
【００３５】
表２は、吸汗靴下１は、上記と同様に図１、図２のように靴下をＦＴＹのカバーリングヤーン４で編成した実施例で、３０束、７５デニールのポリエステル糸のマルチフィラメント２を液体ジェット加工で撚りをほぐし、図５のように撚りをほぐしてモノフイラメントの平行状の束としたマルチフィラメント２を３０デニールのモノフィラメントのポリウレタン糸の弾性糸の芯糸３にカバーリングヤーンしたカバーリングヤーン４を裏糸５とし、６５デニール双糸ポーラクレープ、綿１００％、マルチフィラメントのポリエチレン交撚糸の表糸６とともに所要の丸編機に給糸して、爪先から足首まで平編みの編組織として編成した。
表２は、上記靴下の足の甲、足の裏の着用前後での脱水分率を、表２に記載したＣ３６０の綿１００％のカバーリング糸と３０／７０ＦＴＹのレギュラーカバーリング糸との比較例と比較したものである。
【００３６】
その結果、表２のとおり、本実施例では、足の甲側でも肌水分率が高く、足の裏側でも、脱水分率が高く、本実施例の吸水性は有効で、表糸６側に水分が移動したものと思われる。
【００３７】
また、本考案の上記した靴下について、アンケートを実施した。その結果、本考案の靴下は、フィット感がよく、さらっとして、ベトベト感やムレ感がなく、靴下の底部が風通しがよくてムレなく、足がさらっとして、肌触りがよく、履いているときも、脱いだ後も、ベタつきがなく、気持ちがよい、といった回答が多かった。
【００３８】
このように撚りのかかったマルチフィラメントの撚りをほぐしてモノフイラメントの平行状の束のマルチフィラメント２とし、この平行状の束としたマルチフィラメント２を芯糸３にカバーリングしたカバーリングヤーン４で、マルチフィラメント２の各モノフィラメントの繊維糸の間に毛細管現象で装着した肌からの汗が吸い込めるようにでき、ベトベト感、ムレ感のない吸汗性の良い靴下を得ることができる。そのため、足の皮膚の汗を吸い上げられて雑菌が繁殖しにくい環境にできて、加工薬剤を使用しなくても、抗菌除臭効果が得られる。
【００３９】
また、モノフイラメントの平行状の束としたマルチフィラメント２を芯糸３にカバーリングしてカバーリングヤーン４を形成し、このカバーリングヤーン４を裏糸５とし、表糸６とともに編成することで、裏糸５が足の肌に直接的に触れて上記したように各モノフィラメントの繊維糸の間に毛細管現象で汗を吸収できて、吸汗性の良い靴下を得ることができるものである。そのため、上記のように足の皮膚の汗を吸い上げられて雑菌が繁殖しにくい環境にできて、加工薬剤を使用しなくても、抗菌除臭効果が得られる。
【００４０】
図７は、本考案の他の実施例を示すもので、吸汗靴下１は、図７のように靴下の履口部に表糸６と裏糸５の間にゴム糸９を給糸して挿入し、適宜な締め付けの編組織とするなど、適正な締め付け力に編成できるものである。
【００４１】
図８は、本考案のさらに他の実施例を示すもので、吸汗靴下１は、図８のように表糸６を上記したようにカバーリングして、カバーリングした表糸６を上記したように裏糸５とともに給糸して靴下を編成したものである。このように、表糸７をカバーリングすることもでき、こうすることによって、裏糸５に吸水した汗を表糸６側にも移動できて、吸汗速乾性の靴下とすることができる。
【００４２】
上記では、平編みの短い靴下について説明したが、長い靴下等や所要の繊維糸を選別して同様に編成することができる。
【産業上の利用可能性】
【００４３】
本考案は、繊維分野の短い靴下、長い靴下に広く利用できる。
【符号の説明】
【００４４】
１…吸汗編物    ２…繊維糸    ３…芯糸    ４…カバーリングヤーン    ５…裏糸    ６…表糸        ７…撚りほぐし具
【図１】
0003195308.tif 000005
【図２】
0003195308.tif 000006
【図３】
0003195308.tif 000007
【図６】
0003195308.tif 000008
【図７】
0003195308.tif 000009
【図８】
0003195308.tif 000010
【図４】
0003195308.tif 000011
【図５】
0003195308.tif 000012
【手続補正書】
【提出日】平成26年11月6日(2014.11.6)
【手続補正１】
【補正対象書類名】実用新案登録請求の範囲
【補正対象項目名】請求項４
【補正方法】変更
【補正の内容】
【請求項４】
撚りのかからないようにしてモノフイラメントの平行状の束のマルチフィラメントとし、この平行状の束としたマルチフィラメントを芯糸にカバーリングしたカバーリングヤーンで靴下を編成したことを特徴とする請求項１ないし３のいずれかに記載の吸汗靴下。
【手続補正２】
【補正対象書類名】明細書
【補正対象項目名】００１０
【補正方法】変更
【補正の内容】
【００１０】
またさらに、  撚りのかからないようにしてモノフイラメントの平行状の束のマルチフィラメントとし、この平行状の束としたマルチフィラメントを芯糸にカバーリングしたカバーリングヤーンで靴下を編成したことを特徴とする吸汗靴下を提供するにある。
【手続補正３】
【補正対象書類名】明細書
【補正対象項目名】００１５
【補正方法】変更
【補正の内容】
【００１５】
またさらに、請求項４のように、撚りのかからないようにしてモノフイラメントの平行状の束のマルチフィラメントとし、この平行状の束としたマルチフィラメントを芯糸にカバーリングしたカバーリングヤーンで靴下を編成したことによって、上記のように吸汗性の良い肌着を得ることができる。